(57)【要約】【課題】電池を使用しないで簡単な機構でメロディーや動物の鳴き声を鳴らすことができ、そのメロディーや形状も様々に変えることができる自転車用警報器を提供する。【解決手段】自転車のハンドルに取り付けるためのブラケット２が一体に形成されたお碗形の本体１と、前記本体１に回転自在に取り付けられた軸受け７と、前記軸受け７に着脱可能挿入され周囲に複数のピン１２が植設された回転ドラム１１と、前記ピン１２に当接する位置に配設された振動板ド１４と、前記回転ドラム１１と同心円に軸受け７に取り付けられたストッパーギヤ３と、前記ストッパーギヤ３に係合するストッパー４と、前記軸受け７に取り付けられ回転ドラム１１を回転させるぜんまいばね５とから構成した。【選択図】　　　　図１
2004067084.tif 000002
【特許請求の範囲】
【請求項１】
自転車のハンドルに取り付けるためのブラケットが一体に形成された本体と、前記本体をカバーするカバー体により形成される内部の空間にオルゴール機構が収納され、
前記オルゴール機構は、周囲に複数のピンが植設された回転ドラムと、前記ピンに当接する位置に配設された振動板とを備え、
前記回転ドラムは、ぜんまいばねにより回転され、前記複数のピンが前記振動板に当たり所定の音を発することを特徴とする自転車用警報器。
【請求項２】
自転車のハンドルに取り付けるためのブラケットが一体に形成されたお碗形の本体と、前記本体に回転自在に取り付けられた軸受けと、前記軸受けに着脱可能挿入され周囲に複数のピンが植設された回転ドラムと、前記ピンに当接する位置に配設された振動板と、前記回転ドラムと同心円に軸受けに取り付けられたストッパーギヤと、前記ストッパーギヤに係合するストッパーと、前記軸受けに取り付けられ前記回転ドラムを回転させるぜんまいばねと、からなることを特徴とする自転車用警報器。
【請求項３】
自転車にハンドルに取り付けるためのブラケットが一体に形成されたお碗形の本体と、前記本体に回転自在に取り付けられた軸受けと、前記軸受けに着脱可能挿入され周囲に複数のピンが植設された回転ドラムと、前記ピンに当接する位置に配設された振動板と、前記回転ドラムと同心円に軸受けに取り付けられたストッパーギヤと、前記ストッパーギヤに係合するストッパーと、前記ストッパーギヤに係合する減速ギヤと、前記減速ギヤの下部に取り付けられ一端が前記固定リンに固定されたぜんまいばねと、からなることを特徴とする自転車用警報器。
【請求項４】
前記回転ドラムとカバー体が一体に形成され、前記回転ドラムの交換により異なるメロディーを演奏することを特徴とする請求項１または請求項２に記載の自転車用警報器。
【請求項５】
前記ストッパーギヤと前記ストッパーが係止状態で巻き上げ方向に回転可能なラチェット機構を構成していることを特徴とする請求項１乃至請求項３に記載の自転車用警報器。
【請求項６】
自転車のハンドルに取り付けるためのブラケットが一体に形成された本体と、前記本体に着脱可能に取り付けられたカバー体と、前記本体と前記カバー体により形成される空間にに収納されたオルゴール機構と、前記オルゴール機構を駆動するレバー機構とからなり、
前記レバー機構の操作により前記オルゴール機構から警報音を発することを特徴とする自転車用警報器。
【請求項７】
前記本体と前記カバー体の組み合わせにより、動物の形状を模したものであることを特徴とする請求項６に記載の自転車用警報器。
【請求項８】
前記警報音は、前記動物の鳴き声を模したものであることを特徴とする請求項６または請求項７に記載の自転車用警報器。
【発明の詳細な説明】
【０００１】
【発明の属する技術分野】
本発明は、自転車用警報器に係り、特にオルゴール機能を備え警報音をメロディーまたは動物の鳴き声を発することができる自転車用警報器に関する。
【０００２】
【従来の技術】
自転車用警報器は、一般的にはハンドルに取り付けられたベル装置で構成されている。このベル装置は、ベルの側方に突出した操作レバーを人差指で進行方向の前後方向に揺動操作し、この揺動操作によりベル内部でラックとピニオンを介して回転ゴマを回転させ、回転ゴマの重錘をベルに打撃してベルを鳴らすものである。
【０００３】
このようなベル装置は、ベルの打撃音で歩行者などに警報するものであるから、歩行者にとってはうるさく耳障りに感じるので、不快感を抱くこともあり、混雑した場所ではいらいら感をつのらせるので、トラブルが発生することもあった。また、自転車の乗者も走行しながら指で操作レバーを操作するので子供や年配者にとっては操作しずらく、この操作に気を取られて運転が危うくなるという問題も発生した。
【０００４】
そこで、この問題を解決する手段として、操作レバーを操作する必要のない電子式ブザーがあった。この電子式ブザーはバッテリを備え、電気的にブザーを鳴らすものである。さらには、電子式ブザーをさらに発展させて音楽のメロディーを奏でる電子式の自転車用警報器もあった。
【０００５】
【発明が解決しようとする課題】
しかしながら、上述した電子式ブザーや電子式の自転車用警報器では、一般に乾電池を使用するため、その使用回数は、電池の寿命により制限され、電池が切れた場合は電池を交換しなければならず、電池を交換する手間と新たな電池を用意するためにコストがかかるという問題があった。
【０００６】
そこで、この問題を解決する手段として、実開平６−１８０７９号公報に示すようなオルゴール式の自転車用警報器があった。このオルゴール式の自転車用警報器は、楽器のオルゴール機構をそのまま自転車のハンドルに取り付けるようにしたもので、予めねじ巻用把手でねじを巻くことによりぜんまいばねを巻き上げておき、具体的に開示されていないがオン・オフ用のレバーでスタート、ストップするものである。また、ぜんまいばねを使用する代わりに車輪の回転を利用してオルゴールを動作させることも開示されている。
【０００７】
しかしながら、上述したオルゴール式の自転車用警報器において、ぜんまいばねを使用したものは、楽器のオルゴールをそのまま自転車のハンドルに取り付けたもので、形状なども決して自転車に適合させたものではなく、オン・オフ用のレバーの具体的な動作機構も開示されていないので、無理やり自転車に取り付けた感は否めない。また、車輪の回転を利用するものは、確かに理論的には可能であると思われるが、具体的に実現するためには現状の自転車用警報器に比べてはるかにコストがかかり、実用化が困難であるという課題があった。
【０００８】
本発明は、上述した問題を解決するためなされたもので、電池を使用しないで簡単な機構でメロディーを鳴らすことができ、そのメロディーも様々に変えることができる自転車に好適な自転車用警報器を提供するものである。
【０００９】
【課題を解決するための手段】
本発明は、前記の課題を解決するために、自転車のハンドルに取り付けるためのブラケットが一体に形成された本体と、前記本体をカバーするカバー体により形成される内部の空間にオルゴール機構が収納され、前記オルゴール機構は、周囲に複数のピンが植設された回転ドラムと、前記ピンに当接する位置に配設された振動板とを備え、前記回転ドラムは、ぜんまいばねにより回転され、前記複数のピンが前記振動板に当たり所定の音を発することを特徴とするものである。
【００１０】
また、本発明は、自転車のハンドルに取り付けるためのブラケットが一体に形成されたお碗形の本体と、前記本体に回転自在に取り付けられた軸受けと、前記軸受けに着脱可能挿入され周囲に複数のピンが植設された回転ドラムと、前記ピンに当接する位置に配設された振動板と、前記回転ドラムと同心円に軸受けに取り付けられたストッパーギヤと、前記ストッパーギヤに係合するストッパーと、前記軸受けに取り付けられ前記回転ドラムを回転させるぜんまいばねと、からなることを特徴としている。
【００１１】
また、本発明は、自転車にハンドルに取り付けるためのブラケットが一体に形成されたお碗形の本体と、前記本体に回転自在に取り付けられた軸受けと、前記軸受けに着脱可能挿入され周囲に複数のピンが植設された回転ドラムと、前記ピンに当接する位置に配設された振動板と、前記回転ドラムと同心円に軸受けに取り付けられたストッパーギヤと、前記ストッパーギヤに係合するストッパーと、前記ストッパーギヤに係合する減速ギヤと、前記減速ギヤの下部に取り付けられ一端が前記固定リンに固定されたぜんまいばねと、からなることを特徴とするものである。
【００１２】
また、本発明は、前記回転ドラムとカバー体が一体に形成され、前記回転ドラムの交換により異なるメロディーを演奏することを特徴としている。
【００１３】
また、本発明は、前記ストッパーギヤと前記ストッパーが係止状態で巻き上げ方向に回転可能なラチェット機構を構成していることを特徴としている。
請求項３に記載の自転車用警報器。
【００１４】
また、本発明は、自転車のハンドルに取り付けるためのブラケットが一体に形成された本体と、前記本体に着脱可能に取り付けられたカバー体と、前記本体と前記カバー体により形成される空間にに収納されたオルゴール機構と、前記オルゴール機構を駆動するレバー機構とからなり、前記レバー機構の操作により前記オルゴール機構から警報音を発することを特徴とするものである。
【００１５】
さらに、本発明は、前記本体と前記カバー体の組み合わせにより、動物の形状を模したものであることを特徴とし、前記警報音は、前記動物の鳴き声を模したものであることを特徴とするものである。
【００１６】
【発明の実施の形態】
本発明に係る自転車用警報器の実施の形態を添付の図面を参照して説明する。図１は本発明に係る自転車用警報器の第１の実施の形態の内部構造を示す透視図、図２は図１のＡ−Ａ，Ａ′−Ａ′線に沿って断面した断面図、図３は図２のＣ−Ｃ断面図、図４はストッバーの構造を示す分解斜視図、図５は回転ドラムと軸受けの挿入状況を示す断面図である。
【００１７】
本発明に係る自転車用警報器Ａは、図１乃至図３に示すように、自転車のハンドルに取り付けるためのブラケット２が一体に形成されたお碗形の本体１と、この本体１に回転自在に取り付けられカバー体１０と一体に形成された回転ドラム１１と、この回転ドラム１１の周囲に植設された複数のピン１２と、このピン１２に当接する位置に配設された振動板１４と、回転ドラム１１と同心円に取り付けられたストッパーギヤ３と、このストッパーギヤ３に係合するストッパー４と、軸受け７の下部に取り付けられ一端が軸受け７に取り付けられ他端が本体１に固定されたぜんまいばね５と、から構成されている。
【００１８】
本体１は、合成樹脂材料から略お碗形に形成されたもので、下部には一体に自転車にハンドルに取り付けるためのブラケット２が形成されている。このブラケット２は、固定ねじ６で図示しないハンドルに固定できるようにねじ孔２ａが形成されている。この本体１の内底には、中央部に本体１に対して回転自在な軸受け７が取り付けられており、周辺にはストッパー４が立設されている。また、本体１の周壁には前記振動板１４が固定するために、溝が形成されたガイド部１ｂが設けられている。
【００１９】
また、ストッパーギヤ３は、軸受け７と一体に成形加工されたもので、円盤状の周囲にギヤ部３ａが形成されたものである。このストッパーギヤ３は、回転ドラム１１と一体に接続され、ぜんまいばね５で回転するようになっている。そのため、不使用の場合にはストッパー４と歯合し、回転しないようになっている。そして、回転させる場合には、後述するようにストッパー４との歯合を解除すれば、ぜんまいばね５により回転するものである。さらに、このストツパーギヤ３とストッパー４とはラチェット機構を構成しており、ストッパーギヤ３とストッパー４の歯合状態で、ぜんまいばね５の巻き上げ方向には回転可能なように、ギヤ部３ａの形状は、図４に示すように、一方向に角度がつけられている。
【００２０】
ストッパー４は、前述のように、本体１と一体に成形加工され、本体１の内底から立設された成形ばねである。このストッパー４のばねは、先端のストッパー片４ａを常時ストッパーギヤ３のギヤ部３ａと歯合する方向に付勢している。このストッパー４には、ストッパーギヤ３との歯合を解除するため、図４に示すように、操作棒８が取り付けられる。この操作棒８の先端部には、操作棒８をストッパー４に取り付けるための取り付け孔８ａが形成されており、ストッパー４に形成された取り付け部４ｂの孔に貫通する割りピン９で接続され、固定される。
【００２１】
また、この操作棒８のつまみ部８ｂは、図１、図２に示すように、本体１に形成されたつまみ孔１ａによりガイドされる。従って、ストッパーギヤ３とストッパー４の歯合を解除してストッパーギヤ３を回転させる場合は、本体１から突出している操作つまみが８のつまみ部８ｂを親指で押すだけでよい。そして、ストッパーギヤ３とストッパー４を歯合させてストッパーギヤ３の回転を止める場合は、つまみ部８ｂから指を離せばストッパー４のばね力により自動的に歯合して止まるものである。即ち、本発明の自転車用警報器Ａを鳴らす場合は、指でつまみ部８ｂを押すだけでよく、止める場合は指を離すだけでよいのである。
【００２２】
回転ドラム１１は、合成樹脂材料からカバー体１０と一体に成形され、周囲に複数の金属製のピン１２が植設されたものである。この回転ドラム１１の下部には軸受け７と係合するための係合部１３が形成されている。この係合部１３には、図５に示すように、軸受け７に嵌入された鋼球１５と係合させるための係合凹部１３ａが形成されている。また、係合部１３と軸受け７が係合して一緒に回転させる必要があるので、スリップが生じないように、係合部１３と軸受け７の係合穴は、矩形に形成されている。
【００２３】
この回転ドラム１１の係合部１３と軸受け７の係合を図５に基づいて説明する。先ず、図５（ａ）に示すように、係合部１３の挿入前は、軸受け７に形成された鋼球穴７ａに鋼球１５とコイルばね１６が圧入され、鋼球１５はコイルばね１６によって軸心側に付勢されているが、鋼球１５の径より入口の径が小さく形成されているので、鋼球１５は鋼球穴７ａからは飛び出さないようになっている。
【００２４】
次いで、図５（ｂ）に示すように、軸受け７に係合部１３が挿入されると、鋼球１５は係合部１３によって押されるので、コイルばね１６に抗して鋼球穴７ａは内部に引っ込むので、係合部１３は軸受け７にスムーズに挿入できる。
【００２５】
そして、図５（ｃ）に示すように、係合部１３の係合凹部１３ａが鋼球１５の位置まで挿入されると、鋼球１５はコイルばね１６に押されて、係合凹部１３ａに嵌着する。このようにして、係合部１３は簡単に７に固定されが、簡単に抜けないものである。しかしながら、係合部１３はある値以上の力では抜けるものであるから、回転ドラム１１をカバー体１０と一緒に交換することが可能となる。この係合部１３を引き抜く力は、コイルばね１６の強さに依存するので、コイルばね１６の強さを適宜選択すればよい。
【００２６】
また、回転ドラム１１のピン１２は、金属製のピンで、回転ドラムの成形時にインサートしてもよいし、成形後に打ち込んでもよい。このピン１２の数は、オルゴールとしてのメロディーで決定するもので、ピン１２の数と位置を変えれば様々な曲に対応できるものである。即ち、ピン１２の異なる何種類かの回転ドラム１１を用意して交換すれば様々なメロディーを聞くことができる。尚、曲名はカバー１０の表面にラベルなどに表示される。
【００２７】
振動板１４は、オルゴール用の振動板で各音階に応じた振動片が備えられている。この振動板１４は本体１に形成されたガイド壁１ｃに圧入され固定される。また、回転ドラム１１を回転させるぜんまいばね５は、公知のぜんまいばねであり、ぜんまいばね５の一端側を回転自在な軸受け７側に固定し、他端側を本体１に固定するものである。
【００２８】
このように構成された自転車用警報器Ａは、ブラケット２により自転車のハンドルに取り付けられる。そして、走り出す前にまずカバー体１０を回してぜんまいばね５を巻いておく。このぜんまいばね５を巻く場合に回転ドラム３とストッパー４はラチェット機構を構成しているので、ストッパー４を解除することなくぜんまいばね５を巻き上げることができる。この状態で走り出し、危険な状態になった場合に指で操作つまみが８ａを押す。すると、ストッパー４が解除されてぜんまいばね５のほぐれる力で回転ドラム１１を回転し、オルゴール機構によりメロディーが鳴り、歩行者などに優しく自転車の接近を知らせるものである。そして、自転車の乗者は、従来のように走行中に力を入れて操作レバーを揺動するといった動作が必要ないので、安全であり、子供や年配者にも簡単に操作できるものである。
【００２９】
また、この自転車用警報器Ａは、カバー体１０と一体な回転ドラム１１を交換することによってメロディーの曲を変えることができる。即ち、オルゴール機構は回転ドラム１１のピン１２の位置を変えることにより、様々なメロディーを演奏できるものである。そして、この回転ドラム１１は係合部１３（図５参照）により軸受け７と着脱可能に構成されているので、カバー体１０と一体な回転ドラム１１のピン１２の位置を変えたものを数種類用意しておけば、その時の気分により自分の好きなメロディーを使用できるものである。さらには、サイクリング専用道路のように、警報を鳴らす必要のない道路を走る場合は、操作つまみ８ａを押すことにより回転ドラム１１を回転させ、自分の好きな曲を聞きながら走ることも可能になり、自転車に乗る楽しみも増すものである。
【００３０】
次に、図６に示す自転車用警報器Ｂは、前述した自転車用警報器Ａに減速ギヤ１７を追加したもので、大径のストッパーギヤ２に小径の減速ギヤ１７を歯合させ、この減速ギヤ１７の軸にぜんまいばね５を取り付け、このぜんまいばね５の一端を本体１に固定している。その他の構成は自転車用警報器Ａと同一である。このように構成された自転車用警報器Ｂは、ぜんまいばね５による回転が減速ギヤ１７により減速されてストツパーギヤ３に伝達されるので、ぜんまいばね５による急激な回転が緩和されてストツパーギヤ３の回転がスムーズになり、メロディーが滑らかになるものである。
【００３１】
また、図７および図８は、本発明に係る自転車用警報器の第２の実施の形態を示すものである。この自転車用警報器Ｃは、自転車のハンドルに取り付けるためのブラケット２１が一体に形成された本体２０と、この本体２０に着脱可能に取り付けられたカバー体２２と、本体に収納されたオルゴール機構３０と、オルゴール機構３０を駆動するレバー機構３５とからなり、前記レバー機構３５の操作により前記オルゴール機構３０から警報音を発することができ、その外観形状は小鳥を模したものであり、その警報音は鳴き声を模したものである。
【００３２】
本体２０は、合成樹脂材料から略舟形に形成されたもので、内部にオルゴール機構３０を収納できるように上部が開放された空洞に形成され、オルゴール機構３０を固定するためのねじ穴などが設けられている。この本体２０の下部に形成されたブラケット２１は、自転車のハンドルに取り付けできるように、一端側が開放されており、固定ねじ２１により自転車のハンドルに固定される。
【００３３】
カバー体２２は、本体２０に固定されるもので、図示しない螺着や、強嵌合などで固定され、内部にオルゴール機構３０が収納できるように、下部が開放された形状に構成されている。また、このカバー体２２と本体２０により形成される空間は共鳴部２４を構成しており、警報音を拡大できるようになっている。この警報音はカバー体２２に形成されたホーン形状の拡声部２５で拡声できるようになっている。
【００３４】
また、このカバー体２２は、様々な動物の形状を模しており、図７は小鳥を模したものである。従って、これに使用されるオルゴール機構３０は、回転ドラム３１と振動板３２を備えた公知のオルゴール機構３０である。このオルゴール機構３０は、レバー機構３５によって駆動されるものである。そのため、レバー機構３５の回転駆動力を減速して回転ドラム３１に伝達するウォームギヤ３３が取り付けられている。
【００３５】
このレバー機構３５は、レバー３６と、レバー３６を回動させる回転シャフト３７と、この回転シャフト３７に同心円に巻き込まれたぜんまいばね３８と、回転シャフト３７の回転を減速してオルゴール機構３０を駆動する減速ギヤ３９を備えている。このレバー機構３５は、図８に示すように、レバー３６のスタート位置Ｐより回動位置Ｑに回動すると、ぜんまいばね３８が巻き込まれるので、この位置で指を離すとぜんまいばね３８の巻き戻しのトルクにより回転シャフト３７が回転し、減速ギヤ３９を介してウォームギヤ３３を回転させるので、回転ドラム３１を回転させる。すると回転ドラム３１に植設されたピン３１ａが振動板３２に当たり所定の音を発するものである。
【００３６】
このように構成された自転車用警報器Ｃは、ブラケット２１により自転車のハンドルに取り付けられる。そして、使用する場合には、レバー３６を親指などでスタート位置Ｐより回動位置Ｑに押し下げて離すと、小鳥の鳴き声や動物の鳴き声で警報音を発するものである。そのため、歩行者などに不快感を与えることなく、自転車の走路を譲ってもらうことができる。
【００３７】
尚、本発明に係る自転車用警報器は、上述した実施の形態に限定されるものではなく、特許請求の範囲内にて様々な態様ができることは勿論である。
例えば、回転ドラムを金属材料で成形し、カバー体と別体にしてもよいし、ストッパーを金属材料で成形し本体と別体にしてもよいことは勿論である。
さらに、自転車用警報器の形状も、動物に限らず、乗物の形状やアニメーションのキャラクターの形状にすることも可能である。
【００３８】
【発明の効果】
以上説明したように、本発明の自転車用警報器は、自転車にハンドルに取り付けるためのブラケットが一体に形成されたお碗形の本体と、前記本体に回転自在に取り付けられた軸受けと、前記軸受けに着脱可能挿入され周囲に複数のピンが植設された回転ドラムと、前記ピンに当接する位置に配設された振動板と、前記回転ドラムと同心円に軸受けに取り付けられたストッパーギヤと、前記ストッパーギヤに係合するストッパーと、前記ストッパーギヤに係合する減速ギヤと、前記減速ギヤの下部に取り付けられ一端が前記本体に固定されたぜんまいばねと、から構成されたことにより、電池を使用しない簡単なオルゴール機構によりメロディーを鳴らすことができ、歩行者などに優しく自転車の接近を知らせることができるという効果を奏する。
また、自転車の乗者も、従来のように走行中に力を入れて操作レバーを揺動するといった動作が必要ないので、安全であり、子供や年配者にも簡単に操作できるという効果を奏する。
さらに、カバー体と一体な回転ドラムを簡単に交換することができ、様々なデザイン形状や様々なメロディーなどをを楽しむことができる。
【図面の簡単な説明】
【図１】本発明に係る自転車用警報器の第１の実施の形態の構成を示す透視の斜視図である。
【図２】図１のＡ−Ａ，Ａ′−Ａ′線に沿って断面した断面図である。
【図３】図２のＣ−Ｃ断面図である。
【図４】図１の自転車用警報器のストッバーの構造を示す分解斜視図である。
【図５】図１の自転車用警報器の回転ドラムと軸受けの挿入状態を示す断面図である。
【図６】本発明に係る自転車用警報器の実施例を示す平面断面図である。
【図７】本発明に係る自転車用警報器の第２の実施の形態の構成を示す透視の斜視図である。
【図８】図７のＤ−Ｄ方向の矢視断面図である。
【符号の説明】
Ａ　　　　自転車用警報器
Ｂ　　　　自転車用警報器
Ｃ　　　　自転車用警報器
１　　　　本体
１ａ　　　つまみ孔
１ｂ　　　ガイド部
２　　　　ブラケット
２ａ　　　ねじ孔
３　　　　ストッパーギヤ
３ａ　　　ギヤ部
４　　　　ストッパー
４ａ　　　ストッパー片
４ｂ　　　取付部
５　　　　ぜんまいばね
６　　　　固定ねじ
７　　　　軸受け
８　　　　操作棒
８ａ　　　操作つまみ
９　　　　割りピン
１０　　　カバー体
１１　　　回転ドラム
１２　　　ピン
１３　　　係合部
１３ａ　　係合凹部
１４　　　振動板
１５　　　鋼球
１６　　　コイルばね
２０　　　本体
２１　　　ブラケット
２２　　　カバー体
２３　　　固定ねじ
２４　　　共鳴部
２５　　　拡声部
３０　　　オルゴール機構
３１　　　回転ドラム
３２　　　振動板
３３　　　ウォームギヤ
３５　　　レバー機構
３６　　　レバー
３７　　　回転シャフト
３８　　　ぜんまいばね
３９　　　減速ギヤ
【図１】
2004067084.tif 000003
【図２】
2004067084.tif 000004
【図３】
2004067084.tif 000005
【図４】
2004067084.tif 000006
【図５】
2004067084.tif 000007
【図６】
2004067084.tif 000008
【図７】
2004067084.tif 000009
【図８】
2004067084.tif 000010